(57)【要約】【課題】幼児が積み木で遊びながら、各積み木に表示された名称を多言語で音声認識し、覚え、学び、楽しむことのできる音声通知機能付き積み木玩具を提供する。【解決手段】アルファベットＡ〜Ｚの頭文字の動物を模し、かつその表面には動物の絵柄を描いた積み木群と、同積み木をあたかもジグソーパズルのように組み合わせて収める積み木収納箱であって、その底面には、組み合わせたときの積み木表面全体と同じ絵柄が描かれている積み木収納箱と、同底面絵柄の各背面に発声スイッチが配置され同スイッチのＯＮで各積み木に対応する言葉を発する音声発生装置とを備えた。また、動物を模した積み木群は、自然木からつくられている。【選択図】図１
0003151993.tif 000002
【実用新案登録請求の範囲】
【請求項１】
アルファベットＡ〜Ｚの頭文字の動物を模し、かつその表面には動物の絵柄を描いた積み木群と、同積み木をあたかもジグソーパズルのように組み合わせて収める積み木収納箱であって、その底面には、組み合わせたときの積み木表面全体と同じ絵柄が描かれている積み木収納箱と、同底面絵柄の各背面に発声スイッチが配置され同スイッチのＯＮで各積み木に対応する言葉を発する音声発生装置とを備えたことを特徴とする積み木玩具。
【請求項２】
前記、音声発生装置には、複数国の言語が選択できる切替え用押しボタンスイッチが設けられている事を特徴とする積み木玩具。
【請求項３】
前記、動物を模した積み木群は、自然木からつくられている事を特徴とする積み木玩具
【考案の詳細な説明】
【技術分野】
【０００１】この考案は、幼児教育のために供される知育玩具に関するものである。
【背景技術】
【０００２】従来の知育玩具には、異なる具象物を象った複数のブロックと、このブロックの嵌合作用で具象物に対応した音を発する発音手段を設けた幼児用玩具がある（例えば、特許文献１参照）。
また、文字や数字、絵などを複数のブロック毎に描き、描かれた文字や数字、絵の意味を知りたいときにそのブロックを所定の読み取り部分に乗せて音声として通知する、という音声通知機能付きブロック玩具もある（例えば、特許文献２参照）
【先行技術文献】
【特許文献】
【０００３】
【特許文献１】実開昭６０−９４２８８号公報
【特許文献２】登録実用新案第３０５８４９１号公報
【考案の概要】
【考案が解決しようとする課題】
【０００４】  従来の積み木玩具は、個々の積み木は殆ど直方体や立方体であり、その色や形を楽しむ面白さがなく、幼児の興味を惹き遊び心を養うには不十分であった。また、ひとつの収納箱にいろいろな形態の動物の積み木をあたかもジグソーパズルのように組み合わせて配置するという積み木ではなかったので、すぐに飽きられてしまっていた。さらに個々の積み木に描かれた動物の名前をそれぞれ多国語で聞かせるものはなかった。
【課題を解決するための手段】
【０００５】  この考案は、かかる従来の積み木の課題を解決するために提案されたもので、アルファベットＡ〜Ｚの頭文字の動物を模し、かつその表面には動物の絵柄を描いた積み木群と、同積み木をあたかもジグソーパズルのように組み合わせて収める積み木収納箱であって、その底面には、組み合わせたときの積み木表面全体と同じ絵柄が描かれている積み木収納箱と、同底面絵柄の各背面に発声スイッチが配置され同スイッチのＯＮで各積み木に対応する言葉を発する音声発生装置とを備え、また、音声発生装置には、複数国の言語が選択できる切替え用押しボタンスイッチが設けられ、さらに、動物を模した積み木群は、自然木からつくられている事を特長とするものである。
【考案の効果】
【０００６】  この考案は、アルファベットＡ〜Ｚの頭文字の動物を模し、その表面には動物の絵柄を描いた２６種類の積み木から構成されているので、色鮮やかで興味を持って幼児が遊ぶことができる。また、積み木収納箱の底面には、組み合わせたときの積み木表面全体と同じ絵柄が描かれており、その絵柄を見て積み木をあたかもジグソーパズルのように組み合わせながら収めるので、飽きることなく幼児が夢中で一人遊びができるのである。【０００７】さらに、積み木収納箱の底面の絵柄または積み木収納箱に収められた個々の積み木を押圧すると、それぞれの動物の名前が音声として発せられるのでますます幼児が興味を抱くこととなるほか、名前の発音は例えば日本語、英語、中国語または韓国語など複数の国の言語に切り替えができるので各国の正しい発音を正確に聞き取り語学力の向上につながるものである。また、これらの積み木は木の香漂う自然木から作られているので癒しの空間を醸し出し情緒を安定させるとともに誤って幼児が口にしてもまったく無害であるので、安心して遊ばせることができるという効果を奏する。
【図面の簡単な説明】
【０００８】
【図１】  本考案積み木玩具の全体斜視図である。
【図２】  本考案積み木玩具の積み木収納箱および音声パネルを示す斜視図である。
【図３】  本考案の音声パネル内部の回路図である。
【考案を実施するための形態】
【０００９】  積み木収納箱１内に、必要とするＡ〜Ｚの動物を模した２６種類の積み木２を設け、積み木２に描かれている内容を識別、対応する音声パネル３を設ける。また、積み木収納箱１から取り出せる音声パネル３には、音声認識を明確にするために、電源を起動するためのロッカースイッチ６を設ける。また、複数国の言語が選択できる切替え用押しボタンスイッチ７を設け、それを表示するＬＥＤ表示灯８を設け、選択を容易にするための国名表示部９を設け、発声スイッチ１４Ａ、１４Ｂ，１４Ｃ，・・・１４Ｚを設け、音声を通知するためのスピーカー１２を設ける。さらに、音声パネル３内部には、コントロール基盤４を設け、発声選択スイッチ盤１３を設ける。
【００１０】  前記コントロール基盤４には、電源となる乾電池を収納するための電池収納部５を設け、ロッカースイッチ６を設け、複数国の言語が選択できる切替え用押しボタンスイッチ７を設ける。これを押すことでＬＥＤ表示灯８が点灯する。音声を合成する音声合成回路１０を設け、増幅回路１１を設け、音声を通知するためのスピーカー１２を設ける。発声選択スイッチ盤１３には、積み木２に描かれている絵柄の名称とそれに対応する多言語の選択を切り替える、発声スイッチ１４Ａ、１４Ｂ，１４Ｃ，・・・１４Ｚが設けられている。コントロール基盤４と発声選択スイッチ盤１３をケーブルコネクター１５で接続する。音声発生装置２０はこのように構成されている。
【実施例】
【００１１】  以下、本考案の一実施例を図面に基づいて説明する。
１は積み木を複数個組み合わせた積み木群２を収納する積み木収納箱で、図１においてはアルファベッドのＡ〜Ｚで始まる動物２６種類を模しかつその表面に当該動物の絵柄を描いた一定厚みを有する積み木２Ａ、２Ｂ，２Ｃ・・・・・２Ｚの群から構成されている。また、各積み木２Ａ、２Ｂ，２Ｃ・・・・・２Ｚ群は、図１に示すようにそれぞれを組み合わせたときにジグソーパズルのようにほとんど隙間なく嵌合わされるとともに全体としてすっぽりと積み木収納箱１内に収まるように工夫されている。【００１２】  １１は、積み木収納箱１の底面であって、図２に示すようにその底面１１には各積み木２Ａ、２Ｂ，２Ｃ・・・・・２Ｚを組み合わせた積み木群２の絵柄がそっくり描かれている。２０は音声発生装置で、音声パネル３、電源を起動するためのロッカースイッチ６、国名表示部９の言語選択ボタン７、選択ボタンＬＥＤ表示灯８、音声通知用のスピーカー１２より構成されている。【００１３】  また、積み木収納箱１から分離できる音声パネル３の内部には、コントロール基盤４および発声選択スイッチ盤１３が設けられている。
コントロール基盤４には、図３に示すように電源となる乾電池を収納するための電池収納部５、音声を合成する音声合成回路１０および増幅回路１１が設けられている。【００１４】  発声選択スイッチ盤１３には、積み木２Ａ，２Ｂ，２Ｃ・・・２Ｚに描かれている絵柄の名称とそれを表示する多言語の選択を切り替えるための発声スイッチ１４Ａ、１４Ｂ，１４Ｃ，・・・１４Ｚが設けられている。コントロール基盤４と発声選択スイッチ盤１３とはケーブルコネクター１５で接続されている。【００１５】  なお、積み木２Ａ，２Ｂ，２Ｃ・・・・２Ｚで図柄化される動物の種類と国別言語の一例を表１に示す。ここでは、英語、日本語。中国語および韓国語で表示した。【００１６】
【表１】
0003151993.tif 000003
【００１７】本考案は、以上のような構造で、これを使用する時は、まず、積み木収納箱１から、積み木２Ａ、２Ｂ，２Ｃ・・・・・２Ｚおよび音声パネル３を取り出す。【００１８】  次に、積み木２Ａ、２Ｂ，２Ｃ・・・・・２Ｚは、組み合わせるとパズルになりその配列を楽しみながら、アルファベット順を学習する。また遊んでいる動物が何と言う動物かを音声発生装置２０の発声スイッチ１４Ａ，１４Ｂ・・・を押すことで４カ国の言葉で聞き、学習できる。【００１９】  つまり、積み木２Ａ，２Ｂを組み合わせたり、バラバラにしたり、遊んでいるうちに、その中から名称を音声として知りたいと思うものを、まず１つ選び、音声パネル３のロッカースイッチ６を押し電源を入れる。次に、知りたい言語の種類を日本語、英語、中国語、韓国語の４つの中から選び、押しボタンスイッチ７を押して選択する。次に、選んだ積み木２Ａ、２Ｂ，２Ｃ・・・・・２Ｚと同じ絵柄のものを積み木収納箱１の底面に描かれた絵柄を押す。すると、絵柄の背面に配置された発声スイッチ１４Ａ、１４Ｂ，１４Ｃ，・・・１４ＺがＯＮとなり、選んだ積み木２Ａ、２Ｂ，２Ｃ・・・・・２Ｚの動物名の正しい名称が選んだ言語でスピーカー１２から発せられ、音声言語として聞き取れるのである。【００２０】  なお、発声スイッチ１４Ａ、１４Ｂ，１４Ｃ，・・・１４Ｚを直接押すほかに、組合わせた積み木収納箱１の積み木２Ａ、２Ｂ，２Ｃ・・・・・２Ｚのひとつを押圧することによって動物名を聞くようにしてもよい【００２１】  また、積み木２Ａ、２Ｂ，２Ｃ・・・・・２Ｚに描くものは、文字、絵、模様、柄、色等適宜選択できる。また、これらは積み木２Ａ、２Ｂ，２Ｃ・・・・・２Ｚに直に描くことを含め、あらかじめ描かれたシールを貼りつけたり、着脱式の部品としてもよい。そのほか積み木２Ａ、２Ｂ，２Ｃ・・・・・２Ｚには、動物のほかに植物、鳥、魚、昆虫、他自然界の生物、及び恐竜、乗物、飛行機などを描くようにしてもよい。【００２２】なお、積み木２Ａ、２Ｂ，２Ｃ・・・・・２Ｚは、自然木の優しさ、癒し効果を考慮して、色使いや加工形態に素朴な感じを残しておくのが好ましい。
【符号の説明】
【００２３】  １  積み木収納箱
２Ａ，２Ｂ，２Ｃ  積み木
３  音声パネル
４  コントロール基盤
６  ロッカースイッチ
７  押しボタンスイッチ
９  国名表示部
１０  音声合成回路
１２  スピーカー
１３  発声選択スイッチ盤
１４Ａ，１４Ｂ，１４Ｃ  発声スイッチ
２０  音声発生装置
【図１】
0003151993.tif 000004
【図２】
0003151993.tif 000005
【図３】
0003151993.tif 000006
【手続補正書】
【提出日】平成21年4月13日(2009.4.13)
【手続補正１】
【補正対象書類名】実用新案登録請求の範囲
【補正対象項目名】請求項２
【補正方法】変更
【補正の内容】
【請求項２】
音声発生装置には、複数国の言語が選択できる切替用押しボタンスイッチが設けられている事を特徴とする請求項１に記載の積み木玩具。
【手続補正２】
【補正対象書類名】実用新案登録請求の範囲
【補正対象項目名】請求項３
【補正方法】変更
【補正の内容】
【請求項３】
動物を模した積み木群は自然木からつくられている事を特徴とする請求項１に記載の積み木玩具。